(57)【特許請求の範囲】
【請求項１】
爪磨き器本体から突出した先端にヘッド部を設け、ヘッド部に先端方向と略直交した回転軸芯を有するヤスリ盤を回動自在に配置し、上記ヤスリ盤の表面に爪の表面を接触させるヤスリ面を上記先端方向と略直交した方向に面を成すように形成し、ヤスリ盤の裏面と連結してヤスリ盤に回転軸芯周りの回転揺動運動を与える駆動部を爪磨き器本体に設けたことを特徴とする電動式爪磨き器。
【請求項２】
ヤスリ盤を略円盤状に形成し、上記ヤスリ盤の表面の中心に凹所を穿設すると共に上記凹所の外周側の表面にヤスリ面を設けたことを特徴とする請求項１に記載の電動式爪磨き器。
【請求項３】
ヤスリ盤を略円盤状に形成し、上記ヤスリ盤の表面中心に凹所を穿設すると共に上記凹所の外周側の表面にヤスリ面を設け、上記凹所に爪磨き用オイルを含ませた潤滑部材を配置したことを特徴とする請求項１または２のいずれかに記載の電動式爪磨き器。
【請求項４】
ヤスリ盤の裏面方向のヘッド部に押釦を設け、上記押釦の操作で上記潤滑部材をヤスリ盤の表裏方向に動かし得るようにしたことを特徴とする請求項３に記載の電動式爪磨き器。
【請求項５】
円盤状のヤスリ盤の表面にヤスリ面盤を装着し、ヤスリ盤の回転軸芯を中心とした略扇形状で上記回転軸芯に対して点対称位置に配置した２種類の粗ヤスリ面を上記ヤスリ面盤の表面に設け、ヤスリ面盤の表面の約半分を被覆するカバー体をヘッド部に設け、一方の粗ヤスリ面を表面に露出すると共に他方の粗ヤスリ面をカバー体で隠すようにヤスリ面盤をヤスリ盤に反転自在にし、ヤスリ盤の揺動回転運動が（１８０°−粗ヤスリ面の略扇形の中心角度）／２以下の角度の範囲で行われるようにしたことを特徴とする請求項１乃至請求項４のいずれかに記載の電動式爪磨き器。
【請求項６】
ヤスリ盤の約半分に切欠部を設け、表裏に種類の違う粗ヤスリ面を設けた粗ヤスリ片を上記切欠部に蝶番等を介して回転自在に取り付け、ヤスリ盤の表面に上記２種類の粗ヤスリ面の一方を選択的に露出したことを特徴とする請求項１乃至請求項４のいずれかに記載の電動式爪磨き器。
【請求項７】
円盤状のヤスリ盤の側面に爪の形作り用ヤスリ面を設けたことを特徴とする請求項１乃至請求項６のいずれかに記載の電動式爪磨き器。
【請求項８】
円盤状のヤスリ盤の側面に甘皮押し用の突起を設けたことを特徴とする請求項１乃至請求項７のいずれかに記載の電動式爪磨き器。
【発明の詳細な説明】
【０００１】
【発明の属する技術分野】
本発明は、爪の表面を磨いたり、爪の先端形状を整えたりする爪の手入れのための電動式爪磨き器に関する発明である。
【０００２】
【従来の技術】
従来から、爪の表面を磨いたり、爪の先端形状を整えたりするような爪の手入れのための電動式爪磨き器には、図１２や図１３に示すものが知られている。この図１２や図１３に示すものは、いずれも爪磨き器本体１からヤスリ面４を備えたヤスリ棒３０が先端に向って突設してあり、このヤスリ棒３０が爪磨き器本体１に設けられた駆動部と連結して所定の運動をするものである。図１２に示すものは、ヤスリ棒３０を板状に形成すると共に、この板面上の先端部分に爪に接触させるヤスリ面４を設けてある。そして、このヤスリ棒３０は先後方向に往復直線運動をするものである。また、図１３に示すものは、ヤスリ棒３０を円柱状に形成すると共に、この円柱側面に爪に接触させるヤスリ面４を設けているものである。そして、このヤスリ棒３０は先後方向の回転軸芯周りの回転運動をするものである。
【０００３】
【発明が解決しようとする課題】
しかしながら、図１２に示す前者の例においては、爪の伸長方向に対して略直交する方向にヤスリ面４の往復直線運動を沿わせて使用されることが多いものであり、爪の伸長方向に対して略直交する方向にのみ爪の表面が磨かれるものであるので、爪の表面の仕上がりに時間がかかったり、爪に伝わる振動が大きいものであったり、爪の表面と接触しているヤスリ面が使用者から見えにくい、といった問題があった。また、図１３に示す後者の例においては、円柱の側面にヤスリ面４が設けられているので、爪の表面とヤスリ面４とが線接触してしまうものであり、爪の表面にかかる面圧を大きくしてしまい、ヤスリ面４で爪の表面を削ってしまったりして、爪の表面の仕上がりが汚いものになってしまったり、爪の表面方向に軽く突出するような突状面である爪の表面の形状に対しては突状面のヤスリ面４を沿わせるように接触させることができないものなので、上記ヤスリ面４を爪の表面に接触させにくい、といった問題があるものであった。
【０００４】
本発明は上記の点に鑑みてなされたものであり、ヤスリ面を爪の表面に接触させ易くすると共に、爪の表面の綺麗な仕上がりも期待できる電動式爪磨き器を提供することを課題とするものである。
【０００５】
【課題を解決するための手段】
上記課題を解決するために本発明の請求項１に係る電動式爪磨き器は、爪磨き器本体１から突出した先端にヘッド部２を設け、ヘッド部２に先端方向と略直交した回転軸芯を有するヤスリ盤３を回動自在に配置し、上記ヤスリ盤３の表面に爪の表面を接触させるヤスリ面４を上記先端方向と略直交した方向に面を成すように形成し、ヤスリ盤３の裏面と連結してヤスリ盤３に回転軸芯周りの回転揺動運動を与える駆動部５を爪磨き器本体１に設けたことを特徴とする。これにより、爪磨き器本体１から突出した先端のヘッド部２に先端方向と略直交した方向に面を成したヤスリ面４を設けたので、ヤスリ面４と爪の表面との接触を面接触にすることができ、ヤスリ面４を爪の表面に接触し易くすると共に、仕上がりに時間をかけない、使い勝手のよい電動式爪磨き器にできるものであり、また、ヤスリ面４と爪の表面との面接触はヤスリ面４と爪の表面とを適度な面圧で接触できるものであり、先端方向と略直交した回転軸芯を有すると共に上記回転軸芯周りに回転揺動運動をするヤスリ盤３の表面に設けたヤスリ面４は、ヤスリ盤３と共に回転軸芯周りの回転揺動運動をするものであるので、ヤスリ面４が爪の表面を適度な面圧で磨くことになり、爪に伝わる振動を小さくすると共に、爪の表面の仕上がりを綺麗にできるものである。
【０００６】
また、本発明の請求項２に係る電動式爪磨き器は、請求項１において、ヤスリ盤３を略円盤状に形成し、上記ヤスリ盤３の表面の中心に凹所６を穿設すると共に上記凹所６の外周側の表面にヤスリ面４を設けたことを特徴とする。これにより、ヤスリ面４を爪の表面の形状に合わせて安定して接触させることができるものであり、また、ヤスリ面４と爪の表面との接触する部分も使用者から見易くするものであり、使い勝手のよい電動式爪磨き器にできるものである。
【０００７】
また、本発明の請求項３に係る電動式爪磨き器は、請求項１または請求項２のいずれかにおいて、ヤスリ盤３を略円盤状に形成し、上記ヤスリ盤３の表面の中心に凹所６を穿設すると共に上記凹所６の外周側の表面にヤスリ面４を設け、上記凹所６に爪磨き用オイルを含ませた潤滑部材７を配置したことを特徴とする。これにより、爪の表面と潤滑部材７を接触させて爪の表面に爪磨き用オイルを塗布しながらヤスリ面４で爪の表面を磨くことができるものであり、更に、爪の表面の仕上がりを綺麗にできるものである。
【０００８】
また、本発明の請求項４に係る電動式爪磨き器は、請求項３において、ヤスリ盤３の裏面方向のヘッド部２に押釦８を設け、上記押釦８の操作で上記潤滑部材７をヤスリ盤３の表裏方向に動かし得るようにしたことを特徴とする。これにより、必要なときにだけ、押釦８を操作して上記潤滑部材７を爪の表面と接触させることができて爪磨き用オイルを爪の表面に塗布することができるものであり、爪の表面の爪磨きを効率良くするものであり、また、爪の表面の仕上がりを綺麗にできるものである。
【０００９】
また、本発明の請求項５に係る電動式爪磨き器は、請求項１乃至請求項４のいずれかにおいて、円盤状のヤスリ盤３の表面にヤスリ面盤９を装着し、ヤスリ盤３の回転軸芯を中心とした略扇形状で上記回転軸芯に対して点対称位置に配置した２種類の粗ヤスリ面１０ａ，１０ｂを上記ヤスリ面盤９の表面に設け、ヤスリ面盤９の表面の約半分を被覆するカバー体１１をヘッド部２に設け、一方の粗ヤスリ面１０ａを表面に露出すると共に他方の粗ヤスリ面１０ｂをカバー体１１で隠すようにヤスリ面盤９をヤスリ盤３に反転自在にし、ヤスリ盤３の揺動回転運動が（１８０°−粗ヤスリ面の略扇形の中心角度）／２以下の角度の範囲で行われるようにしたことを特徴とする。これにより、円盤状のヤスリ盤３の表面にヤスリ面盤９を装着し、ヤスリ盤３の回転軸芯を中心とした略扇形状に形成して上記回転軸芯に対して点対称位置に配置した２種類の粗ヤスリ面１０ａ，１０ｂを上記ヤスリ面盤９の表面に設け、ヤスリ面盤９の表面の約半分を被覆するカバー体１１をヘッド部２に設けたことから、上記２種類の粗ヤスリ面１０ａ，１０ｂのうち一つの粗ヤスリ面１０ａのみ表面に露出させることができるものであり、また、ヤスリ面盤９がヤスリ盤３に対して反転自在に装着されることから、表面に露出させる一方の粗ヤスリ面１０ａを他方の粗ヤスリ面１０ｂに簡単に変更できるものであり、また、ヤスリ盤３の揺動回転運動が（１８０°−粗ヤスリ面の略扇形の中心角度）／２以下の角度の範囲で行われるようにしたことから、ヤスリ盤３が回転揺動運動をしても一方の粗ヤスリ面１０ａのみを表面に露出させ続けることができるものであり、１つの電動爪磨き器で２種類の粗ヤスリ面を選択的に使うことができるために使い勝手のよい電動爪磨き器にするものである。
【００１０】
また、本発明の請求項６に係る電動式爪磨き器は、請求項１乃至請求項４のいずれかにおいて、ヤスリ盤３の約半分に切欠部１２を設け、表裏に種類の違う粗ヤスリ面１０ａ，１０ｂを設けた粗ヤスリ片１３を上記切欠部１２に蝶番１４等を介して回転自在に取り付け、ヤスリ盤３の表面に上記２種類の粗ヤスリ面１０ａ，１０ｂの一方を選択的に露出したことを特徴とする。これにより、ヤスリ盤３の半分に切欠部１２を設け、表裏に種類の違う粗ヤスリ面１０ａ，１０ｂを設けた粗ヤスリ片１３を上記切欠部１２に蝶番１４等を介して回転自在に取り付けたことで、ヤスリ盤３の表面に上記２種類の粗ヤスリ面１０ａ，１０ｂの一方を選択的に露出させることができ、１つの電動爪磨き器で２種類の粗ヤスリ面を選択的に使うことができるために使い勝手のよい電動爪磨き器にするものである。
【００１１】
また、本発明の請求項７に係る電動式爪磨き器は、請求項１乃至請求項６のいずれかにおいて、円盤状のヤスリ盤３の側面に爪の形作り用ヤスリ面１５を設けたことを特徴とする。これにより、一つの電動式爪磨き器で、爪の表面を磨くことと爪の先端部の形作りを行い得るものであり、効率良い爪の手入れを行い得るものである。
【００１２】
また、本発明の請求項８に係る電動式爪磨き器は、請求項１乃至請求項７のいずれかにおいて、円盤状のヤスリ盤３の側面に甘皮押し用の突起１６を設けたことを特徴とする。これにより、一つの電動式爪磨き器で、爪の表面を磨くことと甘皮押しの両方を行い得るものであり、効率よい爪の手入れを行い得るものである。
【００１３】
【発明の実施の形態】
以下、本発明を添付図面に示す実施形態に基づいて説明する。
【００１４】
図１乃至２に本発明の実施の形態の例を示す。電動式爪磨き器は、爪磨き器本体１から先端方向に管状に形成したネック部１ａを突出し、上記ネック部１ａの先端にヘッド部２を設けたものである。爪磨き器本体１には、モータ１６，クランク機構等からなる駆動部５を内装するものである。このクランク機構は、モータ１６の回転駆動を先後方向の往復直線運動に変換するものである。具体的に言うと、モータ１６の回転軸にはピニオンギア１８を装着し、上記ピニオンギア１８にはフェイスギア１９を隣接し、上記フェイスギア１９の上面にはフェイスギア１９の回転軸芯から離れた位置に偏芯突起２０を突設し、先端をヘッド部２に連接させるクランク棒２１の環状部２１ａと上記偏芯突起２０を遊嵌している。これにより、モータ１６の回転駆動を受けてクランク棒２１が先後方向の往復直線運動をするものである。なお、このクランク棒２１はネック部１ａに内装され、クランク棒２１の先端をヘッド部２のヤスリ盤３と連結し、上記ヤスリ盤３に先後方向の往復直線運動を伝動させるものである。
【００１５】
ヘッド部２はネック部１ａと連結し、先端方向と略直交した方向に開口する有底筒状に形成されたものであり、その内部には先端方向と略直交する方向に回転軸２２を突設し、円盤状に形成されたヤスリ盤３をヘッド部２の上記開口を塞ぐように先端方向と略直交した方向に面を成すように上記回転軸２２に回動自在に装着しているものである。ヤスリ盤３の表面には爪の表面を接触させるヤスリ面４を設けると共に、ヤスリ盤３の裏面には回転軸２２から離れた位置に伝動ピン２４を突設している。また、ヤスリ盤３の側面のヘッド部２に収納される部分の一部には案内溝２３が穿設されているものである。上記伝動ピン２４はクランク棒２１の先端に設けたピン連結部２１ｂと回動自在に連結されるものであり、クランク棒２１の先後方向の往復直線運動をヤスリ盤３に伝達し、ヤスリ盤３は回転軸２２を中心とする回転揺動運動をするものである。なお、上記案内溝２３にはヘッド部２の側面から内方に突出させた案内ピン２５を挿入し、ヤスリ盤３の抜け止めをしているものである。上記のような構成をした電動式爪磨き器は、モータ１６を回転駆動させると、クランク機構を介して上記駆動がヤスリ盤３に伝達され、上記ヤスリ盤３は先端方向と略直交した回転軸２２周りの回転揺動運動を続けるものである。
【００１６】
このような電動式爪磨き器は、爪磨き器本体１を一方の手で持って、ヘッド部２のヤスリ面４を他方の手等の爪の表面に接触させて、爪の表面を磨くものである。上述したように、ヘッド部２のヤスリ面４は電動式爪磨き器の先端方向と略直交した方向に面を成したものであり、このヤスリ面４に爪の表面を接触させると面接触をして接触できるものであるので、ヤスリ面４を爪の表面に接触し易く、また、ヤスリ面４と爪の表面を面接触にして爪の表面を磨く範囲も大きくとることができるので、仕上がりに時間をかけないで済むことができるものであり、また、ヤスリ面４と爪の表面とを適度な面圧で接触させて爪の表面を磨くことで、仕上がりも綺麗なものとすることができるものである。
【００１７】
以下、実施の形態の他例について説明する。以下の実施の形態の他例は上記の実施の形態の例の一部を変化させたものであるので、重複する部分の説明は省略し、相違点を中心に述べることにする。
【００１８】
図３に示す実施の形態の他例は、ヤスリ盤３の表面の中心に凹所６を穿設すると共に上記凹所６の外周側の表面にヤスリ面４を設けたものである。このようにすることで、指の上方に軽く突起する突状面である爪の表面の突状面を凹所６に軽く収納することで、ヤスリ面４を爪の表面に沿わせるように更に大きく面接触させることができ、仕上がりを更に綺麗すると共に、仕上がりにかかる時間も短縮することができ、また、ヤスリ面４と爪の表面との接触する部分も使用者から見易くすることができて、電動式爪磨き器の使い勝手を向上させるものである。
【００１９】
図４に示す実施の形態の他例は、ヤスリ盤３の表面の中心に凹所６を穿設すると共に上記凹所６の外周側の表面にヤスリ面４を設け、上記凹所６に爪磨き用オイルを含ませた潤滑部材７を配置したものである。このようにすることで、爪の表面に爪磨き用オイルを塗布しながらヤスリ面４で爪の表面を磨くことができるものであり、更に、爪の表面の仕上がりを綺麗にできるものである。
【００２０】
図５に示す実施の形態の他例は、ヤスリ盤３の裏面方向のヘッド部２の端部に押釦８を設け、上記押釦８の操作で爪磨き用オイルを含ませた潤滑部材７をヤスリ盤３の表裏方向に動かし得るようにしたものである。これは、回転軸２２の一端に押釦８を設けると共に他端に爪磨き用オイルを含ませた潤滑部材７を取り付け、上記回転軸２２をヘッド部２及びヤスリ盤３に挿通し、潤滑部材７をヤスリ盤３の凹所６に位置させると共に押釦８をヘッド部２のヤスリ盤３の裏面方向の外部に位置させ、押釦８とヘッド部２との間にバネ２６を介在させたものである。このようにすることで、押釦８をヘッド部に押し込むことで潤滑部材７が凹所６からヤスリ盤３の表面方向に突出するものであり、必要なときにだけ、押釦８を操作して上記潤滑部材７を爪の表面に接触させて爪磨き用オイルを爪の表面に塗布することができるものであり、爪の表面の爪磨きを効率良くするものであり、また、爪の表面の仕上がりを綺麗にできるものである。
【００２１】
図６及び図７に示す実施の形態の他例は、ヤスリ盤３の表面に装着したヤスリ面盤９の表面に２種類の粗ヤスリ面１０ａ，１０ｂを形成し、上記２種類の粗ヤスリ面１０ａ，１０ｂのうち一つを選択的にヤスリ面盤９の表面に露出させると共に回転揺動させたものである。詳述すると、ヤスリ盤３同様に円盤状に形成したヤスリ面盤９の表面に、ヤスリ面盤９の中心点を中心とする略扇形状で、且つ、上記中心点に対して点対称位置に２種類の粗ヤスリ面１０ａ，１０ｂを配置している。この粗ヤスリ面の略扇形状の中心角度は少なくとも１８０°未満である。ヤスリ面盤９は裏面に軸９ａを突出させると共に上記軸の先端に係止片９ｂを設けている。そして、係止片９ｂの外周縁には２つの係止突起９ｃ，９ｃが係止片９ｂの対向位置に外周方向に突設している。また、ヤスリ盤３には係止凹部２７を穿設し、上記係止凹部２７には係止突起受け部２７ａを設けている。このように形成されたヤスリ面盤９は、係止片９ｂを係止凹部２７に挿入し、ヤスリ面盤９をヤスリ盤３の表面に装着している。このとき、係止突起９ｃ，９ｃのうちのいずれか一つを係止突起受け部２７ａに係止させているものである。また、上記ヤスリ面盤９の表面の約半分を被覆するカバー体１１をヘッド部２に設けている。このカバー体１１を設けることで、粗ヤスリ面１０ａ，１０ｂのうちのいずれか一つの粗ヤスリ面１０ａだけを表面に露出するようになる（他方の粗ヤスリ面１０ｂはカバー体１１で隠れている）。ここで、ヤスリ面盤９をヤスリ盤３に対して回動させ、係止突起９ｃ，９ｃのうちの先に係止突起受け部２７ａに係止させたものではない他方の一つの係止突起９ｃを係止突起受け部２７ａに係止させることで、他方の粗ヤスリ面１０ｂを表面に露出させることができる。このようにヤスリ面盤９はヤスリ盤３に反転自在に装着しているものである。また、ヤスリ盤３の揺動回転運動が（１８０°−粗ヤスリ面の略扇形の中心角度）／２以下の角度の範囲で行われるようにしている。これにより、ヤスリ盤３が回転揺動運動をしても表面に露出された一方の粗ヤスリ面１０ａのみを表面に露出させ続けることができるものである。このように構成した電動爪磨き器は、１つの電動爪磨き器で２種類の粗ヤスリ面１０ａ，１０ｂを選択的に使用することができるために使い勝手を向上させることができるものである。
【００２２】
図８及び図９に示す実施の形態の他例は、ヤスリ盤３の半分に切欠部１２を設け、表裏に種類の違う粗ヤスリ面１０ａ，１０ｂを設けた粗ヤスリ片１３を上記切欠部１２に蝶番１４等を介して回転自在に取り付けたものである。この粗ヤスリ片１３の蝶番１４との接続部分と反対側の端部には引っ掛け突起２８を設けてあり、また、ヤスリ盤３の切欠部１２を設けない残りの半分の部分の側面に引っ掛け凹部２９を穿設してある。図９のように、粗ヤスリ片１３を蝶番１４で折り返した際に、粗ヤスリ片１３の引っ掛け突起２８をヤスリ盤３の引っ掛け凹部２９に係止させることで、粗ヤスリ片１３を蝶番１４で折り返した状態を維持できるものである。このように構成した電動式爪磨き器は、ヤスリ盤３の表面に上記２種類の粗ヤスリ面１０ａ，１０ｂの一方を選択的に露出させることができ、１つの電動爪磨き器で２種類の粗ヤスリ面を選択的に使うことができるために使い勝手を向上させることができるものである。
【００２３】
図１０に示す実施の形態の他例は、ヤスリ盤３の側面に爪の形作り用ヤスリ面１５を設けたものである。これにより、一つの電動式爪磨き器で、爪の表面を磨くことと爪の先端部の形作りを行い得るものであり、効率良い爪の手入れを行い得るものである。
【００２４】
図１１に示す実施の形態の他例は、円盤状のヤスリ盤３の側面に甘皮押し用の突起１６を設けたものである。これにより、一つの電動式爪磨き器で、爪の表面を磨くことと甘皮押しの両方を行い得るものであり、効率よい爪の手入れを行い得るものである。
【００２５】
【発明の効果】
上記のように本発明の請求項１記載の電動式爪磨き器にあっては、爪磨き器本体から突出した先端にヘッド部を設け、ヘッド部に先端方向と略直交した回転軸芯を有するヤスリ盤を回動自在に配置し、上記ヤスリ盤の表面に爪の表面を接触させるヤスリ面を上記先端方向と略直交した方向に面を成すように形成し、ヤスリ盤の裏面と連結してヤスリ盤に回転軸芯周りの回転揺動運動を与える駆動部を爪磨き器本体に設けたので、爪磨き器本体から突出した先端のヘッド部に先端方向と略直交した方向にヤスリ面の面を成すことで、ヤスリ面と爪の表面とを面接触にすることができ、ヤスリ面を爪の表面に接触し易くすると共に、仕上がりに時間をかけない、使い勝手のよい電動式爪磨き器にできるものであり、また、ヤスリ面と爪の表面との面接触はヤスリ面と爪の表面とを適度な面圧で接触させるものであり、先端方向と略直交した回転軸芯を有すると共に上記回転軸芯周りに回転揺動運動をするヤスリ盤の表面に設けたヤスリ面は、ヤスリ盤と共に回転軸芯周りの回転揺動運動をするものであるので、ヤスリ面が爪の表面を適度な面圧で磨くことになり、爪に伝わる振動を小さくすると共に、爪の表面の仕上がりを綺麗にできるものである。
【００２６】
また、本発明の請求項２記載の電動式爪磨き器は、請求項１の効果に加えて、ヤスリ盤を略円盤状に形成し、上記ヤスリ盤の表面の中心に凹所を穿設すると共に上記凹所の外周側の表面にヤスリ面を設けたので、ヤスリ面を爪の表面の形状に合わせて安定して接触させることができるものであり、また、ヤスリ面と爪の表面との接触する部分も使用者から見易いものであり、使い勝手のよい電動式爪磨き器にできるものである。
【００２７】
また、本発明の請求項３記載の電動式爪磨き器は、請求項１または請求項２のいずれかの効果に加えて、ヤスリ盤を略円盤状に形成し、上記ヤスリ盤の表面の中心に凹所を穿設すると共に上記凹所の外周側の表面にヤスリ面を設け、上記凹所に爪磨き用オイルを含ませた潤滑部材を配置したので、爪の表面と潤滑部材を接触させて爪の表面に爪磨き用オイルを塗布しながらヤスリ面で爪の表面を磨くことができるものであり、更に、爪の表面の仕上がりを綺麗にできるものである。
【００２８】
また、本発明の請求項４記載の電動式爪磨き器は、請求項３の効果に加えて、ヤスリ盤の裏面方向のヘッド部に押釦を設け、上記押釦の操作で上記潤滑部材をヤスリ盤の表裏方向に動かし得るようにしたので、必要なときにだけ、押釦を操作して上記潤滑部材を爪の表面に接触させて爪磨き用オイルを爪の表面に塗布することができるものであり、爪の表面の爪磨きを効率良くするものであり、また、爪の表面の仕上がりを綺麗にできるものである。
【００２９】
また、本発明の請求項５記載の電動式爪磨き器は、請求項１乃至請求項４のいずれかの効果に加えて、円盤状のヤスリ盤の表面にヤスリ面盤を装着し、ヤスリ盤の回転軸芯を中心とした略扇形状で上記回転軸芯に対して点対称位置に配置した２種類の粗ヤスリ面を上記ヤスリ面盤の表面に設け、ヤスリ面盤の表面の約半分を被覆するカバー体をヘッド部に設け、一方の粗ヤスリ面を表面に露出すると共に他方の粗ヤスリ面をカバー体で隠すようにヤスリ面盤をヤスリ盤に反転自在にし、ヤスリ盤の揺動回転運動が（１８０°−粗ヤスリ面の略扇形の中心角度）／２以下の角度の範囲で行われるようにしたので、ヤスリ盤の回転軸芯を中心とした略扇形状で、且つ、上記回転軸芯に対して点対称位置に２種類の粗ヤスリ面を配置したヤスリ面盤をヤスリ盤の表面に装着し、ヤスリ面盤の表面の約半分を被覆するカバー体をヘッド部に設けたことから、上記２種類の粗ヤスリ面のうち一つの粗ヤスリ面のみ表面に露出させることができるものであり、また、ヤスリ面盤がヤスリ盤に対して反転自在に装着されることから、表面に露出させる一方の粗ヤスリ面を他方の粗ヤスリ面に簡単に変更できるものであり、また、ヤスリ盤の揺動回転運動が（１８０°−粗ヤスリ面の略扇形の中心角度）／２以下の角度の範囲で行われるようにしたことから、ヤスリ盤が回転揺動運動をしても一方の粗ヤスリ面のみ表面に露出され続けることができるものであり、１つの電動爪磨き器で２種類の粗ヤスリ面を選択的に使うことができるために使い勝手のよい電動爪磨き器にするものである。
【００３０】
また、本発明の請求項６記載の電動式爪磨き器は、請求項１乃至請求項４のいずれかの効果に加えて、ヤスリ盤の約半分に切欠部を設け、表裏に種類の違う粗ヤスリ面を設けた粗ヤスリ片を上記切欠部に蝶番等を介して回転自在に取り付け、ヤスリ盤の表面に上記２種類の粗ヤスリ面の一方を選択的に露出したので、ヤスリ盤の半分に切欠部を設け、表裏に種類の違う粗ヤスリ面を設けた粗ヤスリ片を上記切欠部に蝶番等を介して回転自在に取り付けたことで、ヤスリ盤の表面に上記２種類の粗ヤスリ面の一方を選択的に露出させて、上記粗ヤスリ面を回転揺動させることができ、１つの電動爪磨き器で２種類の粗ヤスリ面を選択的に使うことができるために使い勝手のよい電動爪磨き器にするものである。
【００３１】
また、本発明の請求項７記載の電動式爪磨き器は、請求項１乃至請求項６のいずれかの効果に加えて、円盤状のヤスリ盤の側面に爪の形作り用ヤスリ面を設けたので、一つの電動式爪磨き器で、爪の表面を磨くことと爪の先端部の形作りを行い得るものであり、効率良い爪の手入れを行い得るものである。
【００３２】
また、本発明の請求項８記載の電動式爪磨き器は、請求項１乃至請求項７のいずれかの効果に加えて、円盤状のヤスリ盤の側面に甘皮押し用の突起を設けたので、一つの電動式爪磨き器で、爪の表面を磨くことと甘皮押しの両方を行い得るものであり、効率よい爪の手入れを行い得るものである。
【図面の簡単な説明】
【図１】本発明の実施の形態の例を示すものであり、（ａ）は側面断面図であり、（ｂ）は上面断面図である。
【図２】同上の斜視図である。
【図３】同上の実施の形態の他例（ヤスリ盤の表面に凹所を設けた）を示すものであり、（ａ）は斜視図であり、（ｂ）は側面断面図である。
【図４】同上の実施の形態の他例（ヤスリ盤の表面に設けた凹所に爪磨き用オイルを含ませた潤滑部材を設けた）を示すものであり、（ａ）は斜視図であり、（ｂ）は側面断面図である。
【図５】同上の実施の形態の他例（潤滑部材を表裏に移動させる押釦をヘッド部に設けたもの）を示すものであり、（ａ）は斜視図であり、（ｂ）は側面断面図である。
【図６】同上の実施の形態の他例（２種類の粗ヤスリ面を設けたヤスリ面盤をヤスリ盤に装着し、ヘッド部にカバー体を設けたもの）を示すものであり、（ａ）は斜視図であり、（ｂ）は側面断面図である。
【図７】図６（ｂ）のＡ−Ａ線断面図である。
【図８】同上の実施の形態の他例（両面に２種類の粗ヤスリ面を設けた粗ヤスリ片をヤスリ盤の切欠部に装着したもの）の粗ヤスリ片を切欠部に収納した状態を示すものであり、（ａ）は斜視図であり、（ｂ）は側面断面図である。
【図９】同上の実施の形態の他例（両面に２種類の粗ヤスリ面を設けた粗ヤスリ片をヤスリ盤の切欠部に装着したもの）の粗ヤスリ片を蝶番を介して折り返した状態を示すものであり、（ａ）は斜視図であり、（ｂ）は側面断面図である。
【図１０】同上の実施の形態の他例（ヤスリ盤の側面に爪の形作り用ヤスリ面を設けたもの）を示す斜視図である。
【図１１】同上の実施の形態の他例（ヤスリ盤の側面に甘皮押し用の突起を設けたもの）を示す斜視図である。
【図１２】従来技術の例を示す斜視図である。
【図１３】従来技術の他例を示す斜視図である。
【符号の説明】
１  爪磨き器本体
２  ヘッド部
３  ヤスリ盤
４  ヤスリ面
５  駆動部
６  凹所
７  潤滑部材
８  押釦
９  ヤスリ面盤
１０  粗ヤスリ面
１１  カバー体
１２  切欠部
１３  粗ヤスリ片
１４  蝶番
１５  型作り用ヤスリ面
【図１】
0003885465.tif 000002
【図２】
0003885465.tif 000003
【図３】
0003885465.tif 000004
【図４】
0003885465.tif 000005
【図５】
0003885465.tif 000006
【図６】
0003885465.tif 000007
【図７】
0003885465.tif 000008
【図８】
0003885465.tif 000009
【図９】
0003885465.tif 000010
【図１０】
0003885465.tif 000011
【図１１】
0003885465.tif 000012
【図１２】
0003885465.tif 000013
【図１３】
0003885465.tif 000014